(57)【要約】  腕時計（３）または宝石のリストバンド（４）の製造方法であって、  −第１の合成素材を提供するステップと、  −第１の素材から押し出し成形物（６）を作成するためのダイプレート（２）を有する押し出しライン（１）を提供するステップと、  を含む製造方法であって、製造方法は、  −第１の素材とは特性が異なる１または複数の追加素材を提供するステップと、  −第１の領域を有するダイプレート（２）を提供するステップであって、第１の領域は、少なくとも一端部で、中空の管状輪郭を有する押し出し成形物を製造可能な輪郭を画定し、押し出し成形物（６）は、リストバンド（４）の１つまたは２つの板の長さに対応する幅を有するステップと、  の少なくとも１つを含むことを特徴とし、  −ダイプレートはさらに第２の領域を有し、第２の領域は、平坦な輪郭、屈曲した輪郭、および突出する領域（５）を有する輪郭のうちから選択した特定の輪郭の画定を可能にすることを特徴とする。【選択図】  図８
2019501803.tif 000002
【特許請求の範囲】
【請求項１】
腕時計（３）または宝石のリストバンド（４）の製造方法であって、
−第１の合成素材を提供するステップと、
−前記第１の素材から押し出し成形物（６）を作成するためのダイプレート（２）を有する押し出しライン（１）を提供するステップと、
を含む製造方法であって、前記製造方法は、
−前記第１の素材とは特性が異なる１または複数の追加素材を提供するステップと、
−第１の領域を有するダイプレート（２）を提供するステップであって、前記第１の領域は、少なくとも一端部で、中空の管状輪郭を有する押し出し成形物を製造可能な輪郭を画定し、前記押し出し成形物（６）は、前記リストバンド（４）の１つまたは２つの板の長さに対応する幅を有するステップと、
の少なくとも１つを含むことを特徴とし、
−前記ダイプレートはさらに第２の領域を有し、前記第２の領域は、平坦な輪郭、屈曲した輪郭、および突出する領域（５）を有する輪郭のうちから選択した特定の輪郭の画定を可能にすることを特徴とする、
製造方法。
【請求項２】
１または複数の前記追加素材は、前記第１の素材と共押し出しされた合成素材であることを特徴とする、請求項１または２に記載の方法。
【請求項３】
１または複数の前記追加素材は、前記ダイプレート（２）を通じた前記押し出し中に一体化される装飾、強化要素（８）、または強化素材であることを特徴とする、請求項１または２に記載の方法。
【請求項４】
前記装飾または前記強化要素（８）は、ワイヤ、バンドまたは管であることを特徴とする、請求項３に記載の方法。
【請求項５】
前記装飾または前記強化要素（８）は、繊維で形成されるか、金属素材で実現されることを特徴とする、請求項３または４に記載の方法。
【請求項６】
請求項３〜５のいずれか一つに記載の方法であって、前記強化要素（８）または前記強化素材は、前記ダイプレート（２）の１つまたは両方の横側端部の領域に一体化されることを特徴とする、方法。
【請求項７】
請求項１〜３のいずれか一つに記載の方法であって、前記強化要素（８）は前記ダイプレート（２）の中心でリストバンド（４）を形成するために、前記強化要素（８）を囲むプラスチックの外皮と一体化されることを特徴とする、方法。
【請求項８】
請求項１〜７のいずれか一つに記載の方法であって、前記ダイプレート（２）は１つまたは２つの横側端部に、前記輪郭の残りに対して前記ダイプレート（２）から突出する中空の管状輪郭（７）を有する、方法。
【請求項９】
請求項５に記載の方法であって、前記ダイプレート（２）から現れる前記押し出し成形物（６）に水ジェット切断、レーザ切断または穴開けを行い、腕時計ケースおよびクラスプバックル（１５）上にそれぞれフック（１１）を形成するステップを含む、方法。
【請求項１０】
請求項１〜９のいずれか一つに記載の方法であって、前記第１の素材および状況に応じて１または複数の追加素材または前記強化素材は、前記リストバンド（４）の機械的性能、快適さ、経時安定性および／または美的外観を改善するバラストを含有する、方法。
【請求項１１】
請求項１０に記載の方法であって、前記バラストは、セラミック粒子、銀粒子またはジンクピリチオンもしくはアルミニウム塩の粒子などの抗菌剤、織物繊維、抗紫外線化合物、顔料、蛍光化合物、燐光化合物、熱変色性化合物、光発色性化合物、およびこれらの混合物から成るグループから選択される、方法。
【請求項１２】
請求項１〜１１のいずれか一つに記載の方法を用いて得た腕時計もしくは宝石のリストバンド（４）、または宝石。
【請求項１３】
全体として様々な色に染められた横断バンド（１６）を備える、請求項１２に記載のリストバンドまたは宝石（４）。
【請求項１４】
全体として発光する横断バンド（１６）を備える、請求項１２または１３に記載のリストバンド（４）。
【請求項１５】
異なる素材から構成される内面および外面を備える、請求項１２〜１４のいずれか一つに記載のリストバンド（４）。
【請求項１６】
抗菌性、防臭性、制汗性、抗紫外線保護性、燐光性、蛍光性、熱変色性および／または光発色性特徴を有する化合物を備える、請求項１２〜１５のいずれか一つに記載のリストバンド（４）。
【請求項１７】
一端部、両端部、または厚さ方向の中間に位置する強化要素（８）を有する、請求項１２〜１６のいずれか一つに記載のリストバンド（４）。
【請求項１８】
端部間に位置するプラスチック素材とは異なる機械的特性のプラスチック素材を、一端部または両端部に有する、請求項１２〜１７のいずれか一つに記載のリストバンド（４）。
【請求項１９】
５５から７５の間のショアＡ硬さの様々な硬さの領域を有する、請求項１２〜１８のいずれか一つに記載のリストバンド（４）。
【請求項２０】
請求項１２〜１９のいずれか一つに記載のリストバンドであって、前記リストバンドの前記２つの端部間に配置される中間部分において、前記リストバンドの一面に考案される開口を備えることを特徴とし、前記開口が腕時計ケースを形成するように設計される領域によって区画され、前記領域が前記開口の周辺部の少なくとも１つの部分に延在し、前記リストバンドの前記板を形成する前記可撓性素材、いわゆるリストバンド板素材のヤング率より大きいヤング率を有するいわゆるケース素材より形成されることを特徴とする、リストバンド。
【請求項２１】
請求項２０に記載のリストバンドであって、前記ケース素材は５０ショアＤより大きい剛性を有することを特徴とし、前記板素材は７５ショアＡより低いショア硬さを有することを特徴とする、リストバンド。
【請求項２２】
前記開口は貫通穴であることを特徴とする、請求項２０または２１に記載のリストバンド。
【請求項２３】
前記開口は肩部を有することを特徴とする、請求項２０〜２２のいずれか一つに記載のリストバンド。
【請求項２４】
請求項１２〜２３のいずれか一つに記載のリストバンド（４）を備える、腕時計（３）または宝石。
【発明の詳細な説明】
【技術分野】
【０００１】
本発明は、腕時計製造および宝石の分野に関する。より具体的には、リストバンドまたは模造宝石類を製造するための押し出しまたは共押し出し方法、および本方法によって得られるリストバンドまたは模造宝石類に関する。
【背景技術】
【０００２】
現在では、プラスチックからなる腕時計または模造宝石類のリストバンドは基本的に、射出または圧縮成形のいずれかの成形によって製造される。これらの方法によって、このような複雑な形状を有するプラスチックからなる目的物の量産品を迅速に製造することができる。ただし、成形には、高価な工具が必要となるという欠点があり、目的物が複雑な場合はさらに費用がかかる。さらに、全体的に異なる色または素材のリストバンドまたは模造宝石類を所望する場合には、オーバーモールドまたはバイインジェクションの複数の段階を用いることが必要となる。以下では、腕時計リストバンドについてのみ論じるが、これは例にすぎず、携帯可能か否かを問わず、本技術を用いて製造可能な他の目的物を限定するものではない。
【０００３】
過去には、費用が安い方法である押し出し法によって、腕時計リストバンドを製造することが提示された。したがって、特許文献１は、横側端部に円筒形の通路を有し、腕時計ケースの支持ロッドを収容するように設計されるプラスチックバンドの製造方法を開示している。
【０００４】
押し出しによるリストバンドの製造は、簡単な形状、単色、および同一の素材からなるリストバンドの製造に限定される。ここで、リストバンドが浮彫装飾を有する場合は、顧客は様々な色または特定の感触を高く評価する。美的側面に加え、様々な素材をリストバンドに一体化して、リストバンドの機能的特性を修正することにより、たとえば大きな機械的応力を受けるリストバンドの所定の正確な場所で剛性を増加することなどが関心の的となることもある。心地よい感触を有する表面、および快適な下部を実現し、たとえば発汗を制限して肌と常に接触できるようにすることも可能である。
【先行技術文献】
【特許文献】
【０００５】
【特許文献１】フランス国特許公開２１２１８６４号
【発明の概要】
【０００６】
本発明は、独創的な幾何学的形状およびモチーフを有するリストバンドを、簡潔かつ経済的な方法で製造する主題に関与する。さらに、本発明は、所定の正確な場所に配置される強化物質を有するなどといった、様々な機能的特性を持つリストバンドを作成することを提示する。
【０００７】
この目的のため、本発明は腕時計または宝石のリストバンドの製造方法に関する。本方法は以下のステップを含む。
−第１の合成素材を提供するステップと、
−第１の素材から押し出し成形物を作成するためのダイプレートを有する押し出しラインを提供するステップ。
本方法は、以下のステップのうち少なくとも１つを含むことを特徴とする。
−第１の素材とは特性が異なる１または複数の追加素材を提供するステップと、
−第１の領域を有するダイプレートを提供するステップであって、第１の領域は、少なくとも一端部で、中空の管状輪郭を有する押し出し成形物を製造可能な輪郭を画定し、押し出し成形物は、リストバンドの１つまたは２つの板の長さに対応する幅を有するステップ。
ダイプレートはさらに第２の領域を有し、第２の領域は、平坦な輪郭、屈曲した輪郭、および突出する領域を有する輪郭のうちから選択した特定の輪郭の画定を可能にすることを特徴とする。
【０００８】
具体的な実施形態は請求項１の従属クレームで要約する。
【０００９】
本発明の特徴および有利点は、以下の図を参照して以下の詳細な説明を読むことによって明らかになるであろう。
【図面の簡単な説明】
【００１０】
【図１】既知の押し出しラインの概略図である。
【図２ａ−２ｂ】図２ａは、押し出し法で作製したリストバンドの斜視図を表す。本実施形態によるリストバンドは管を形成する。図２ｂは、押し出し法で作製したリストバンドの斜視図を表す。本実施形態によるリストバンドは屈曲したバンドを形成する。
【図３】押し出し法で作製したリストバンドを有する腕時計の斜視図を表す。リストバンドは凹部によって分離される浮彫装飾の領域を有する。
【図４】押し出し法で作製したリストバンドを有する腕時計の斜視図を表す。リストバンドは凹部によって分離される浮彫装飾の領域を有する。
【図５】ダイプレートから出現する２つの押し出し成形品の概略図である。本発明によれば、リストバンドはリストバンドの横断方向に押し出される。
【図６】図５と同一の押し出し成形品の斜視図であり、中空の管状構造を１つのまたは各々の横側端部に備える。
【図７】共押し出しダイプレート上流の押し出し機の概略図である。
【図８】前述の方法で得られた、横断方向に縞模様を有するリストバンドの上面図を示す。
【図９】前述の方法で得られた、長手方向に縞模様を有するリストバンドの上面図を示す。
【図１０】本発明の方法によって製造される押し出し成形品の斜視図である。本成形品は、中央部分の素材とは異なるプラスチック素材を横側端部に有する。
【図１１】本発明の方法によって作成される押し出し成形品の部分斜視図であり、横側端部の区域に一体化された強化部分を有する。
【図１２】本発明の方法によって得られるリストバンドを備える腕時計の部分斜視図であり、リストバンドはＮＡＴＯタイプの構造でケースに固定される。
【００１１】
【図１３】押し出し法によって得られるリストバンドを備える腕時計の斜視図であり、スタッドシステムによる留め具を有する。
【図１４】図６の押し出し成形品から得られるリストバンドの板を示す。押し出し成形品は、レーザ切断または穴開けをし、腕時計ケースおよびバックルに取り付けるために必要な穴を形成されている。
【図１５】リストバンドを取り付けるための尖点システムを備える腕時計ケースを示す。
【図１６】リストバンドに取り付けるためのバーシステムを備えるクラスプバックルを示す。
【図１７】内面の色が外面の色とは異なる二色のリストバンドを備える腕時計を示す。
【図１８】本発明に記載する共押し出し方法によって得られる燐光性のバンドを備える黒いリストバンド板を示す。第１の図はリストバンド板の長手方向断面図であり、第２の図はリストバンド板の上面図である。
【図１９】本発明の方法によって得られるリストバンドの他の変形を示す。
【図２０】本発明の方法によって得られるリストバンドの他の変形を示す。
【図２１】本発明の方法によって得られるリストバンドの他の変形を示す。
【図２２】本発明の方法によって得られるリストバンドの他の変形を示す。
【図２３】本発明の方法によって得られるリストバンドの他の変形を示す。
【図２４】本発明の方法によって得られるリストバンドの他の変形を示す。
【図２５】本発明の方法によって得られるリストバンドの他の変形を示す。
【図２６】本発明の方法によって得られるリストバンドの他の変形を示す。
【図２７】本発明の方法によって得られるリストバンドの他の変形を示す。
【図２８】本発明の方法によって得られるリストバンドの他の変形を示す。
【図２９】本発明の方法によって得られるリストバンドの他の変形を示す。
【発明を実施するための形態】
【００１２】
本発明は、プラスチック素材を押し出すことによって、腕時計または模造宝石類のリストバンドを製造する方法に関する。
【００１３】
本方法は、リストバンドの幅に対応する幅を有する押し出し成形品の製造からなっていてもよく、リストバンドの１つの板または２つの板の長さに対応する幅を有する押し出し成形品の製造からなっていてもよい。
【００１４】
本発明の方法によって得られるリストバンドは、独創的な輪郭、発光性の縞模様を含む着色縞模様、または位置によって異なる特性を有することを特徴とする。もちろん、これらの特徴の１または複数を有するのであってよい。
【００１５】
独創的な輪郭とは、たとえば、楕円、円、または半紡錘体を形成する円形の横断方向断面のリストバンドを意味する。図１および２ａに例示する例として、押し出しライン１のダイプレート２は、中実または中空の管を形成するリストバンド４を製造するように適応される。図２ｂは、半紡錘体を形成する輪郭を有するリストバンドを示す。半紡錘体とは、つまり、一定の曲率半径を有する端部が上に置かれる平坦な端部によって形成される屈曲した輪郭である。独創的な輪郭とは、同様に立体的なモチーフを横断面または長手方向断面に有するリストバンドを意味する。モチーフは、突出区域として設計される浮彫装飾の区域で形成される。たとえば、本方法で製造されるリストバンド４は、突出する長手方向バンド５で形成されてもよく、長手方向バンド５は、図３および４で示すように、１または複数の凹部１０によって分離される。輪郭の多くは、リストバンドの長手方向または横断方向軸に対して、それぞれ対称または非対称な輪郭を備えるものと考えてよい。押し出し工程が、リストバンドの幅に対応する幅を有する押し出し成形品の製造を伴うか、またはリストバンドの１つの板または２つの板の長さに対応する幅を有する押し出し成形品の製造を伴うかによって、１または複数の突出区域は、長手方向または横断方向に延在してもよい。
【００１６】
腕時計ケースを有するリストバンドを後で組み立てることを容易にするために、図５および６に示すように、押し出し成形品６を、押し出し成形品の１つのまたは各々の横側端部において、中空の管状の突出構造７を有する１つの板の長さに対応する幅で製造することは有利である。中空の管状構造は、出現する穴９を形成する。穴９は、それぞれバーを受容するように設計される。バーによって、中空の管状構造は図１５に示すように腕時計ケースに尖点１４で取り付けられ、図１６に示すようにバックル１５に取り付けられる。中空の管状の突出構造７を１つの横側端部のみに有する押し出し成形品６を製造することも同様に考察可能である。本事例では、管状の突出構造７はバーを受容する出現穴を形成するように設計され、腕時計ケースに尖点１４で取り付けることが可能になる（図１５）。さらに、リストバンドの２つの板を単一のバンドから次のように製造することも考察可能である。すなわち、１つの横側端部に管状構造を備え、バンドの中心近くに配置される２つの管状構造を備え、その後必要な切断を行い、２つの板を得ることも考察可能である。
【００１７】
本発明の押し出し法によって得られる独創的な輪郭についてここまで述べてきた。本方法によって、色および／または特性が異なる複数の素材をリストバンド内で組み合わせることがさらに容易になる。
【００１８】
したがって、全体的に異なる色を交互に配したバンド１６を有するリストバンドは、共押し出しによって実現されてもよい（図７から９）。従来のように、押し出し成形品の幅がリストバンドの幅に対応するか長さに対応するかどうかによって、バンド１６は長手方向または横断方向に延在してもよい。色のバンドとはまた、横断方向または長手方向に延在する発光性バンドを意味する。したがって、図１８は全体的に３つの横断方向の燐光性バンド１６を有する発明を例示する。二色および２つの素材を共押し出しされるリストバンドは、共通の共押し出しヘッドを備える２つの一体化された押し出し機を用いて、熱可塑性ポリウレタン（ＴＰＵ）から生成されてきた。第１の機械は素材Ａを供給するために用いられ、第２の機械は光輝性素材Ｂを供給するために用いられる。このように、２つの熱可塑性素材はダイプレートおよび穴開け工具に送られ、素材の２つの流れの配分は制御可能となる。原料の２つの流れの配分は工具によって行われ、寸法の細かい変更は機械パラメータで調整される（絞速度、ウォーム／スリーブ温度、素材流量、ウォームの回転速度など）。当然ながら、３つの異なる供給を受容する新しい共押し出し頭部を備える第３の機械を一体化し、三種類の素材および／または三種類の色で同じ種類のリストバンドを共押し出しすることを考えてもよい。
【００１９】
同様に、共押し出しの本方法によって、肌と接触する下部の色とは異なる一色を上部に備える、二色のリストバンドを得ることは可能である（図１７）。同様に、異なる物理的特性を有する素材を共押し出しして、リストバンドの区域に応じて特性を修正してもよい。図１０に示すように、押し出し成形品が板の長さに対応する幅を有する事例では、共押し出しダイプレートの横側端部に、良好な機械的特性（良好な引き裂き抵抗、引張強度、または高い弾性率）を有するプラスチック素材を導入することが特に有利である。なぜなら、ケースおよびバックルに取り付けられるこれらの区域は特に機械的応力を受けるからである。たとえば、中央の素材はショア硬さＡ５５の熱可塑性物質を備えていてもよく、横側端部はショア硬さＤ５５の熱可塑性物質を備えていてもよい。共押し出しによって、さらに、上部素材とは異なる下部素材を有するリストバンドを製造することが可能になる。具体的には、下部には快適な柔らかい内張りを有し、上部には艶出し加工を有するリストバンドを得ることができる。別の実施例では、リストバンドは、２つの共押し出し素材を備えていてもよい。第１の素材は抗菌および／または制汗特性をリストバンドの内面に提供し、第２の素材は、特別な美的外観をリストバンドの外面に提供する。
【００２０】
別の実施形態によれば、強化物質８は、縫い糸の代わりとなるように押し出し中に一体化され、強度と剛性をプラスチック素材の一定の区域に提供してもよく、または単に装飾を作成してもよい。強化物質は、ケーブル、管、炭素ばね用鋼線または合成、天然、金属もしくは鉱物由来の別の素材の形状であってもよい。たとえば、金属または繊維の管８は、リストバンドのこの弱い部分をさらに強化する目的で、１または複数の中空の管状構造７の区域に一体化されてもよい（図１１）。
【００２１】
別の実施形態によれば、プラスチック素材を押し出して、金属バンドなどのバンドを被覆してもよい。より具体的には、金属バンドは、「スラップラップ（巻き付け）」タイプのリストバンドを形成するための双安定ばね鋼バンドであってもよい。バンドを押し出し被覆することによって、表面の快適さおよびプラスチックの色という側面と、中心でバンドによって提供される剛性強度とを組み合わせることが可能となり、したがって、クラスプを用いない腕時計リストバンドのシステムを計画することが可能となる。
【００２２】
本発明によれば、押し出しまたは共押し出し中に用いられる合成素材は、混合物であり、少なくとも１つの熱可塑性ポリマを備える。好ましくは、混合物は、以下のリストから選択される少なくとも１つの熱可塑性エラストマ（ＴＰＥ）を備える。
−ＴＰＥ−Ｏ−熱可塑性オレフィン
−ＴＰＥ−Ｓ−より具体的には、スチレン化合物ＳＢＳ、ＳＥＢＳまたはＳＥＰＳ
−ＴＰＥ−Ｖ−より具体的には、加硫化合物ＰＰ／ＥＰＤＭまたは化合物ＴＰＳｉ−Ｖ（熱可塑性物質および架橋シリコンの混合物）
−ＴＰＥ−Ｅ−コポリエステル化合物
−ＴＰＥ−Ｕ−熱可塑性ポリウレタン
−ＴＰＥ−Ａ−熱可塑性ポリアミド
−アイオノマ樹脂
【００２３】
好ましくは、すでに述べたように、選択した主な素材は５５から７５の間のショアＡ硬さを有する。異なる硬さの区域を組み合わせて、リストバンドの快適さおよびエルゴノミクスまたは機械的強度を改善することが可能である。
【００２４】
さらに、本発明の方法を実施するために選択される１または複数の素材は、快適さ、美的外観、およびリストバンドの経時安定性を改善するためのバラストを含有してもよい。
【００２５】
−快適さを改善するためのバラストの例：
−熱を放散し、発汗を低減するための六方晶窒化ホウ素などのセラミック
−毛管効果を有し、汗を排出する織物繊維
−防臭効果のための、銀粒子またはジンクピリチオンもしくはアルミニウム塩の粒子などの抗菌剤
−興味深い美観効果を生成するための添加剤の例：
−着色顔料または着色剤、蛍光特性、燐光特性、熱変色特性または光輝特性を有する化合物
−リストバンドの経時安定性を改善するための添加剤の例：
−抗紫外線添加材
【００２６】
これらのバラストおよび添加材を押し出し機のウォームの供給ホッパ内に追加してもよい。または事前に素材に混ぜ込んでいてもよい。ここでも、リストバンド内の特性を修正するために、明らかに、共押し出しの事例では、バラストおよび添加材を押し出し素材のうち特定のものにのみ導入することは、考察可能である。
【００２７】
リストバンドを押し出しによって製造後、腕時計製造の適用事例において、追加の切断ステップを実施し、クラスプの一体化と同様に、リストバンドの腕時計ケースへの固定を促進してもよい。
【００２８】
リストバンドの長手方向への押し出し工程によって製造するリストバンドの事例では、リストバンドおよび所望する穴の形状は、たとえば穴開け、水ジェット切断またはレーザ切断によって得られる。押し出し後に得たバンドは、１つの部品であってよく、図１２に示すように、腕時計ケースの両側に配置されるループ１２を用いて腕時計ケースに固定されてもよい。これはいわゆるＮＡＴＯ設計である。一変形によれば、短い板および長い板をプラスチックバンドに切りだし、伝統的なリストバンドを形成してもよい。図６の管状構造に類似した挿入物を生成するために、次に圧縮によるオーバーモールドの操作が必要である。また、リストバンドの穴にはめるように、スタッド１３を有するクラスプシステムの導入も考察可能である（図１３）。また、図２ａの剛性の管状のリストバンドに関して、クラスプを用いないリストバンドを実現することも考察可能である。本事例では、具体的には超音波、赤外線またはレーザ加熱などによる溶解工程によって、バンドの自由端部は溶解される。
【００２９】
リストバンドの横断方向への押し出し工程によって製造するリストバンドの事例では、腕時計ケースの組み立ては、比較的実施しやすい。管状構造区域でのレーザ切断、穴開けまたは水ジェット切断によって、図１４に示すように、フック１１はそれぞれ、腕時計ケースおよびバックル用に生成される。前述したような、その他のケースへの固定手段およびクラスプ留めも計画されてもよい。
【００３０】
図１９は、本発明の方法によるリストバンドを、選択された異なる機械的特性を有する２つの素材の共押し出しによって形成するように設計される、押し出し成形品１００の別の変形を例示する。押し出し成形品１００は、押し出し成形品１００の２つの部分１１２の間に配置される中間部分１１０を備える。中間部分１１０は、腕時計ケースを形成するように設計され、部分１１２は、リストバンドの可撓性板を形成するように設計される。
【００３１】
中間部分１１０は、いわゆる「ケース素材」から形成され、そのヤング率は、リストバンドの可撓性板を形成する部分１１２を構成する素材、いわゆる「リストバンド板素材」のヤング率より大きい。
【００３２】
たとえば、腕時計ケース素材は約２０００ＭＰａのヤング率を有し、リストバンド素材は約３０ＭＰａのヤング率を有する。
【００３３】
好ましくは、ケース素材は５０ショアＤより高いショア硬さを有し、板素材は７５ショアＡより低いショア硬さを有する。したがって、ケース素材は容器のムーブメントを受容する十分な剛性を有し、容器の通過および以下で説明する腕時計ケース内でのスナップによる保持を除いて変形しない。板素材自体は、ユーザの手首周りに適合する十分な可撓性を有する。
【００３４】
図２０は、図１９の押し出し成形品の一変形を例示する。中間部分１１０はリストバンド板１１２に、腕時計ケースの側部を形成するように設計される部品によって接続される。
【００３５】
図２１は、図１９の押し出し成形品の変形を例示する。中間部分１１０はリストバンド板１１２に、腕時計ケースの下部を形成するように設計される部品によって接続される。
【００３６】
図１９または２０のいずれか１つによる押し出し成形品１００の製造後、別のステップにおいて、開口１１４を中間部分１１０の１つの面に機械加工または穴開けする。開口１１４は貫通開口であってもよく（図２２、２４）、または止まり開口であってもよい（図２３、２５）。このように、開口１１４は容器タイプの腕時計ムーブメント１１６を受容し、所定の位置に保持する。容器タイプの腕時計ムーブメントとは、つまり、ガラス８によって閉鎖された封入容器表示装置を備えるムーブメントである（図２６から２９）。この同一のステップ中に、バックルのべろまたはピンを通過させる穴１１８が、有利には形成される。
【００３７】
図２６および２７に例示する変形では、開口１１４は貫通開口であり、容器ムーブメントはリストバンドの上部または下部から開口に挿入可能である。図２８および２９に例示する変形では、開口１１４は止まり開口である。有利には、ムーブメントを開口１１４内で位置決めしやすくするために、開口は肩部（不図示）を有していてもよいことに留意されたい。
【００３８】
このように押し出しによって製造されたリストバンドは、多くの有利点を有する。本方法は、簡潔で費用もかからない一方、生産速度の上昇は保証される。現在の射出方法とは異なり、識別可能なバンドで全体的に着色された多色リストバンドを得ることができる。すべての幾何学的形状が計画可能である。さらに、装飾するリストバンドの表面を、縫い目などの追加の飾り、またはデジタル印刷、インクジェット印刷、パッド印刷による装飾などで装飾することさえも可能である。
【図１】
2019501803.tif 000003
【図２ａ】
2019501803.tif 000004
【図２ｂ】
2019501803.tif 000005
【図３】
2019501803.tif 000006
【図４】
2019501803.tif 000007
【図５】
2019501803.tif 000008
【図６】
2019501803.tif 000009
【図７】
2019501803.tif 000010
【図８】
2019501803.tif 000011
【図９】
2019501803.tif 000012
【図１０】
2019501803.tif 000013
【図１１】
2019501803.tif 000014
【図１２】
2019501803.tif 000015
【図１３】
2019501803.tif 000016
【図１４】
2019501803.tif 000017
【図１５】
2019501803.tif 000018
【図１６】
2019501803.tif 000019
【図１７】
2019501803.tif 000020
【図１８】
2019501803.tif 000021
【図１９】
2019501803.tif 000022
【図２０】
2019501803.tif 000023
【図２１】
2019501803.tif 000024
【図２２】
2019501803.tif 000025
【図２３】
2019501803.tif 000026
【図２４】
2019501803.tif 000027
【図２５】
2019501803.tif 000028
【図２６】
2019501803.tif 000029
【図２７】
2019501803.tif 000030
【図２８】
2019501803.tif 000031
【図２９】
2019501803.tif 000032
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
腕時計（３）または宝石のリストバンド（４）の製造方法であって、
−第１の合成素材を提供するステップと、
−前記第１の素材から押し出し成形物（６）を作成するためのダイプレート（２）を有する押し出しライン（１）を提供するステップと、
を含む製造方法であって、前記製造方法は、
−前記第１の素材とは特性が異なる１または複数の追加素材を提供するステップと、
−第１の領域を有するダイプレート（２）を提供するステップであって、前記第１の領域は、少なくとも一端部で、中空の管状輪郭を有する押し出し成形物を製造可能な輪郭を画定し、前記ダイプレートは、前記リストバンド（４）の１つまたは２つの板の長さに対応する幅を有する押し出し成形物（６）を製造するように設計されるステップと、
の少なくとも１つを含むことを特徴とし、
−前記ダイプレートはさらに第２の領域を有し、前記第２の領域は、平坦な輪郭、屈曲した輪郭、および突出する領域（５）を有する輪郭のうちから選択した特定の輪郭の画定を可能にすることを特徴とし、
−１または複数の前記追加素材は、前記ダイプレート（２）を通じた前記押し出し中に一体化される強化要素（８）であることを特徴とし、
−前記強化要素（８）は、前記ダイプレート（２）の中心に一体化される管であり、前記第１の素材で被膜されてリストバンド（４）を形成することを特徴とし、
−前記強化要素（８）は、前記ダイプレート（２）の１つまたは両方の横側端部の区域に一体化されることを特徴とする、
製造方法。
【請求項２】
前記装飾または前記強化要素（８）は金属素材で実現される、請求項１に記載の方法。
【請求項３】
請求項１または２に記載の方法であって、前記ダイプレート（２）は１つまたは２つの横側端部に、前記輪郭の残りに対して前記ダイプレート（２）から突出する中空の管状輪郭（７）を有する、方法。
【請求項４】
請求項２に記載の方法であって、前記ダイプレート（２）から現れる前記押し出し成形物（６）に水ジェット切断、レーザ切断または穴開けを行い、腕時計ケースおよびクラスプバックル（１５）上にそれぞれフック（１１）を形成するステップを含む、方法。
【請求項５】
請求項１〜４のいずれか一つに記載の方法であって、前記第１の素材および状況に応じて１または複数の追加素材または前記強化素材は、前記リストバンド（４）の機械的性能、快適さ、経時安定性および／または美的外観を改善するバラストを含有する、方法。
【請求項６】
請求項５に記載の方法であって、前記バラストは、セラミック粒子、銀粒子またはジンクピリチオンもしくはアルミニウム塩の粒子などの抗菌剤、織物繊維、抗紫外線化合物、顔料、蛍光化合物、燐光化合物、熱変色性化合物、光発色性化合物、およびこれらの混合物から成るグループから選択される、方法。
【請求項７】
請求項１〜６のいずれか一つに記載の方法を用いて得た腕時計もしくは宝石のリストバンド（４）、または宝石。
【請求項８】
全体として様々な色に染められた横断バンド（１６）を備える、請求項７に記載のリストバンドまたは宝石（４）。
【請求項９】
全体として発光する横断バンド（１６）を備える、請求項７または８に記載のリストバンド（４）。
【請求項１０】
異なる素材から構成される内面および外面を備える、請求項７〜９のいずれか一つに記載のリストバンド（４）。
【請求項１１】
抗菌性、防臭性、制汗性、抗紫外線保護性、燐光性、蛍光性、熱変色性および／または光発色性特徴を有する化合物を備える、請求項７〜１０のいずれか一つに記載のリストバンド（４）。
【請求項１２】
一端部、両端部、または厚さ方向の中間に位置する強化要素（８）を有する、請求項７〜１１のいずれか一つのリストバンド（４）。
【請求項１３】
端部間に位置するプラスチック素材とは異なる機械的特性のプラスチック素材を、一端部または両端部に有する、請求項７〜１２のいずれか一つに記載のリストバンド（４）。
【請求項１４】
５５から７５の間のショアＡ硬さの様々な硬さの領域を有する、請求項７〜１３のいずれか一つに記載のリストバンド（４）。
【請求項１５】
請求項７〜１４のいずれか一つに記載のリストバンドであって、前記リストバンドの前記２つの端部間に配置される中間部分において、前記リストバンドの一面に考案される開口を備えることを特徴とし、前記開口が腕時計ケースを形成するように設計される領域によって区画され、前記領域が前記開口の周辺部の少なくとも１つの部分に延在し、前記リストバンドの前記板を形成する前記可撓性素材、いわゆるリストバンド板素材のヤング率より大きいヤング率を有するいわゆるケース素材より形成されることを特徴とする、リストバンド。
【請求項１６】
請求項１５に記載のリストバンドであって、前記ケース素材は５０ショアＤより大きい剛性を有することを特徴とし、前記板素材は７５ショアＡより低いショア硬さを有することを特徴とする、リストバンド。
【請求項１７】
前記開口は貫通穴であることを特徴とする、請求項１５または１６に記載のリストバンド。
【請求項１８】
前記開口は肩部を有することを特徴とする、請求項１５〜１７のいずれか一つに記載のリストバンド。
【請求項１９】
請求項７〜１８のいずれか一つに記載のリストバンド（４）を備える、腕時計（３）または宝石。
【国際調査報告】
2019501803.tif 000033
2019501803.tif 000034
2019501803.tif 000035
2019501803.tif 000036
2019501803.tif 000037
2019501803.tif 000038